(57)【要約】      （修正有）【課題】弦楽器の形状又は重量、或いは演奏方法を大幅に又は顕著に変更することなく自動伴奏を実現する。【解決手段】演奏されたコードを示すデータを検出し送信する個別のセンサを有する電気的な弦楽器と、ワンマンバンドとして演奏できる音楽伴奏を生成するための電子的なデバイスとを組み合わせる。センサは動的な個別のフレット作動センサ４２を含み、各々は複数の弦３８の１つの下に対応して配置され、コードが演奏される際に、弦３８に加えられた指の圧力４５が対応するフレット作動センサ４２をアクティブにする。【選択図】図２Ｅ
2015207011.tif 000002
【特許請求の範囲】
【請求項１】
サウンドホールを有する本体と、
前記本体から延びるネックと、
前記ネック及び前記サウンドホールの上に取り付けられた複数の弦と、
前記ネックに沿って前記弦の下に取り付けられた複数のセンサと、
前記センサと関連する電子回路と、
を備える電気的な弦楽器であって、
前記センサは、各々が前記複数の弦のうちの１つの下に対応して配置される、動的な個別のフレット作動センサを含み、
コードが前記弦楽器の弦で演奏される際に、前記弦に加えられた指の圧力が、対応する動的な個別のフレット作動センサをアクティブにし、前記演奏されたコードを示す前記圧力データが前記電子回路を介してプロセッサに送信され、前記演奏されたコードを含むオーディオ出力を生成する、
ことを特徴とする電気的な弦楽器。
【請求項２】
前記動的な個別のフレット作動センサは、静電容量センサである、請求項１に記載の電気的な弦楽器。
【請求項３】
前記動的な個別のフレット作動センサは、誘導センサである、請求項１に記載の電気的な弦楽器。
【請求項４】
前記動的な個別のフレット作動センサは、変位可能な上側導電層から離間し絶縁される下側の固定された導電層を備え、前記上側導電層は、前記上側導電層の上に固定された動的な個別のフレットを有し、前記導電層の間に誘電体が存在し、前記動的なフレット上の圧力により、前記上側導電層が前記下側導電層の方向に変位し、該変位に比例する電流が生成される、請求項２に記載の電気的な弦楽器。
【請求項５】
前記動的な個別のフレット作動センサは、上側導電性コイルから間隔を介して配置され絶縁される下側導電性コイルを備え、前記上側導電性コイルは、前記上側導電性コイルの上に固定された動的な個別のフレットを有する、請求項３に記載の電気的な弦楽器。
【請求項６】
前記導電性の層は、０．１から０．６ｍｍの厚さを有する、請求項４に記載の電気的な弦楽器。
【請求項７】
前記導電性の層は、０．２ｍｍの厚さを有する、請求項４に記載の電気的な弦楽器。
【請求項８】
ギターを含む、請求項１から７のいずれかに記載の電気的な弦楽器。
【請求項９】
前記電子回路は、ＰＣＢを備える、請求項１から８のいずれかに記載の電気的な弦楽器。
【請求項１０】
前記演奏された音の増幅を可能とするピックアップを更に備える、請求項１から９のいずれかに記載の電気的な弦楽器。
【請求項１１】
前記圧力データは、指の動き、指の位置、圧力、前記複数の弦のうちの少なくとも１つの上の演奏者の指の圧力及び速度、及びそれらの組み合わせからなる選択されるパラメータのうちの少なくとも１つを含む、請求項１に記載の電気的な弦楽器。
【請求項１２】
ソロ演奏者による音楽伴奏を用いて電気的な弦楽器から音楽を制作するためのシステムであって、該システムは、
サウンドホールを有する本体と、
前記本体から延びるネックと、
前記ネック及び前記サウンドホールの上に取り付けられた複数の弦と、
前記ネックに沿って前記弦の下に取り付けられた複数のセンサと、
各々が前記複数の弦のうちの１つの下に対応して配置される動的な個別のフレット作動センサと関連する電子回路と、
を含む弦楽器を備え、
前記電子回路は、
選択された音楽伴奏の入力及び制御のためのユーザインタフェースと、
前記選択された音楽伴奏を前記電気的な弦楽器からのアコースティックサウンドと統合し処理するためのＭＩＤＩインタフェースと、
統合されたオーディオ出力を生成するためのシンセサイザーモジュールと、
を備えることを特徴とするシステム。
【請求項１３】
電気的な弦楽器で演奏されたソロを用いてアコースティックサウンド及び選択された音楽伴奏を制作するための方法であって、該方法は、
ａ）サウンドホールを有する本体と、
前記本体から延びるネックと、
前記ネック及び前記サウンドホールの上に取り付けられた複数の弦と、
前記ネックに沿って前記弦の下に対応して取り付けられた複数の動的な個別のフレット作動センサと、
前記動的な個別のフレット作動センサと関連する電子回路とを備え、
前記フレット作動センサの各々が、複数の弦のうちの１つの下に対応して配置される電気的な弦楽器と、
ｂ）選択された音楽伴奏の入力及び制御のためのユーザインタフェースと、
ｃ）前記選択された音楽伴奏を前記電気的な弦楽器からの前記アコースティックサウンドと統合して処理するためのＭＩＤＩインタフェースと、
ｄ）統合されたオーディオ出力を生成するためのシンセサイザーモジュールと、
を準備する段階を含み、
前記方法は更に、
１）指の圧力を前記弦に作用させることによって前記楽器を演奏する段階と、
２）動的な個別のフレット作動センサをアクティブにする段階と、
３）前記弦及び対応する動的なフレット作動センサに加えられた指の圧力から圧力データのパラメータを検出して識別して測定する段階と、
４）前記パラメータをアナログ信号からデジタル信号に変換する段階と、
５）前記ユーザインタフェースを用いて選択された音楽伴奏の入力を制御して、前記演奏された電気的な弦楽器のコードを含む前記アコースティックサウンドを完成させる段階と、
６）前記電気的な弦楽器の演奏により制作され、前記ユーザインタフェースから生成され選択された音楽伴奏と調和させた音響的な効果を含むオーディオ出力を、前記ＭＩＤＩインタフェースからの出力と通信して前記シンセサイザーモジュールを用いて生成する段階と、
からなることを特徴とする方法。
【請求項１４】
前記変位可能な上層と前記固定された下層との間の静電容量の増加は、周波数及び電圧の変化を測定することによって測定される、請求項２又は３に記載の電気的な弦楽器。
【請求項１５】
電気的な弦楽器で演奏されたコードを検出し測定し該検出され測定されたデータをオーディオ出力に送信するための動的な個別のフレット作動センサであって、
前記電気的な弦楽器の弦の下に対応して配置される場合、前記センサは、変位可能な上側導電層から間隔を介して配置され絶縁される下側の固定された導電層を備え、前記上側導電層は、前記上側導電層の上に固定された動的な個別のフレットを有し、前記導電層の間に誘電体が存在し、前記弦上の圧力が、前記動的なフレットを押し下げ前記上側導電層を前記下側導電層の方向に変位させ、該変位に比例する電流が生成される、
ことを特徴とする電気的な弦楽器。
【請求項１６】
前記複数の弦は、一組の非導電性の音楽的な弦を含む、請求項１に記載の電気的な弦楽器。
【発明の詳細な説明】
【技術分野】
【０００１】
本発明は、「ワンマンバンド」（ＯＭＢ）として用いられる特別に改良された、例えば、ギターといった弦楽器、並びにギタリストが観衆のために独演する又は娯楽として自分のためだけに演奏することを可能にする弦楽器を演奏するシステム及び方法に関する。弦楽器、例えば、ギターは、ギタリストが精通しているコード（和音）及びソロだけでなく、ギタリストの演奏と調和させるための自動伴奏でもって自分自身に伴奏をつけることができるように構成される。この自動伴奏は、ドラム、バス、及びオルガン又はシンセサイザーによって生成される伴奏と同様の、管弦楽組曲及び音楽的な調和を生成できる他の楽器を含む。
【０００２】
本発明は、弦楽器の形状又は重量、或いは演奏方法を大幅に又は顕著に変更することなく自動伴奏を実現する。演奏者は、これまで習得したことを放棄する必要はなく、新しい演奏方法を学ぶ必要もなく、ただ自分の知識を少し補うだけである。本発明の１つの利点は、これまでの従来の弦楽器により１人で演奏できる音楽を超えて、音楽を豊かなものにし、ギタリストの演奏が現在知られていない独創的なものになり、豊かな及び高度な音楽を制作することによってギタリストに喜び及び満足を与える可能性が加えられることである。
【背景技術】
【０００３】
従来のアコースティックギター又はエレキギター本体は、様々な形状を有することができるが、主に、サウンドボックス、ネック、フィンガーボード、及び弦から構成される。弦は、サウンドボックス上に取り付けられた「ブリッジ」に取り外し可能に取り付けられ、フィンガーボードの上を通ってネックの端部に張られ、ネックにおいてこれらの弦は各弦に対して１つのチューニングキーに取り付けられ、該チューニングキーは、必要に応じてこれらの弦を調律する又は交換する好都合な方法を提供する。
【０００４】
弦楽器、例えば、ギターは、改造及び改良の長い歴史があり、最近、ＭＩＤＩ（電子楽器デジタルインタフェース）プロトコルを利用した最新デジタル技術及び電子技術を取り込んで変更されている。
【０００５】
以下の特許は、本発明に関する技術についての現状の典型的なものである。
１）Ｖｏｎ  Ｂａｓｓｅ他に付与された米国特許第６５８３６３２号明細書は、指紋センサとして使用できる作動増幅回路のキャパシタ表面のグリッドを開示する。この特許は、静電容量フレットセンサに関する電子機器だけを定めるものであり、音楽システムは開示していない。
２）Ｐｏｉｓｏｎに付与された米国特許第４３３６７３４号明細書は、楽音を合成する電子回路を組み込んだギターとして構成された楽器を開示する。タッチセンサー（静電容量）式のフレットセンサが、フレット及び弦の位置に対応する位置に取り付けられる。
３）Ｌｅｅに付与された米国特許第６７５３４６６号明細書は、指の圧力を検出して電子回路をアクティブにする薄膜スイッチコードボードを含む電子的なプログラム可能システムを開示する。プログラム可能なシステムは、プログラムされた音符又はコードをソフトウェアモジュールから読み出し、指の圧力を保持してコードのサウンドを持続する。
４）Ｄａｎｉｅｌに付与された米国特許第７５４１５３６号明細書は、ギターによって生成された電気的な音声信号を処理するための持ち運び可能なマルチサウンドエフェクトシステムを開示する。タッチセンサー式動的制御ユニットが、ギターの前面パネルに取り付けられる。
５）Ｋｏｔｔｏｎ他に付与された米国特許第７８１２２４４号明細書は、弦楽器に連結され、演奏者の楽器の演奏及び操作を検出するフレットセンサによって収集されたデータから、シンセサイザー及びＭＩＤＩ制御データを生成して信号を再生するための方法及びシステムを開示する。
６）Ｓｕｌｌｉｖａｎに付与された米国特許第７８９７８６６号明細書は、演奏面の選択された位置にあるセンサモジュールを使用して楽器の演奏面上の指の位置を検出するためのシステム及び方法を開示する。センサモジュールは、選択された位置の近くの指によって反射又は拡散される光を発する。
７）Ｉｂａ他に付与された米国特許第５０２５７０３号明細書は、楽器の演奏のための複数のフレットセンサを用いた電子弦楽器を開示する。このフレットセンサは、フィンガーボード上のフレットの動作位置を検出し、楽音の生成を含む様々な制御機能に関してこの情報を使用するための装置を含む。
８）Ｆａｌａ他に付与された米国特許第５０３３３５３号明細書は、ギターのフレット上の指使い又はそのような情報を検出する超音波信号を使用して、フレットの検出と音符トリガー機能との間の干渉を最小限にする検出器の改良を開示する。
９）Ａｕｔｅｎ他に付与された米国特許第５９９０４０５号明細書は、楽器を演奏し、ステレオスピーカーを含むヘッドマウント３Ｄディスプレイを着用することによって、コンサートへの参加を模擬して、楽器の実際の演奏と一緒にコンサートの事前に録音された部分を上演できるようにするためのシステムを開示する。
１０）Ｏｋｕｌｏｖに付与された米国特許第６１９１３５０号明細書は、バッテリー電源と共に使用され、事前にプログラムされたコード及び旋律を含むＣＰＵ及びメモリを有するようになったギターを開示する。弦の振動は、圧電素子によってピックアップされて増幅される。
１１）米国特許第５１６６４６７号明細書は、ギターに接続された電子シンセサイザーを操作するフットペダルを開示する。従って、演奏者は、演奏者の手によるギターの演奏及び演奏者の足によるコードの生成を連係して行う必要がある。
１２）米国特許第５８８０３９３号明細書は、音楽コードを生成するミュージックシーケンサーと共に使用するためのコントローラに関する。この従来技術の特許は、アコーディオンに適用される場合の発明を示して特許請求の範囲とする。この特許において開示されるシステムは、キー操作の楽器に適するが、弦楽器、例えば、ギターには、さほど適用できない。
１３）米国特許第７５４１５３６号明細書は、増幅されたギターのためのマルチサウンドエフェクトシステムを特許請求の範囲とする。このシステムは、コードの伴奏には適用されない。
１４）米国特許出願第２００３／０２１０８０９Ａｌ号明細書は、人間の指を介してキャパシタを放電させることなく人間の指との接触を検出し、これによって人間の指に関する好ましくない感覚を防止するためのセンサにおける改良を開示する。音楽システムについての開示はないので、この特許は、本発明に関連せず、静電容量フレットセンサに関する電子機器を規定するのみである。
１５）Ｋｒａｍｅｒに付与された米国特許出願第２００３／０２１０８０９Ａｌ号明細書は、ギター上の指の圧力に関する検知位置情報を提供する静電容量フレットセンサのアレイへの演奏者の指の近接性による、静電容量検知入力に基づいて音楽関連データを生成するための電子システムを開示する。静電容量は、演奏者の指とキャパシタのアレイとの間で測定される。
１６）Ｈａｃｋｌｅｒに付与されたＰＣＴ特許出願第ＷＯ９５／０１６３２号明細書は、ネック上に配置され、圧力検出装置を手で押すことに応じて制御信号を提供する圧力検出装置を有するエレキギターを開示する。
【先行技術文献】
【特許文献】
【０００６】
【特許文献１】米国特許第６５８３６３２号明細書
【特許文献２】米国特許第４３３６７３４号明細書
【特許文献３】米国特許第６７５３４６６号明細書
【特許文献４】米国特許第７５４１５３６号明細書
【特許文献５】米国特許第７８１２２４４号明細書
【特許文献６】米国特許第７８９７８６６号明細書
【特許文献７】米国特許第５０２５７０３号明細書
【特許文献８】米国特許第５０３３３５３号明細書
【特許文献９】米国特許第５９９０４０５号明細書
【特許文献１０】米国特許第６１９１３５０号明細書
【特許文献１１】米国特許第５１６６４６７号明細書
【特許文献１２】米国特許第５８８０３９３号明細書
【特許文献１３】米国特許第７５４１５３６号明細書
【特許文献１４】米国特許出願第２００３／０２１０８０９Ａｌ号明細書
【特許文献１５】米国特許出願第２００３／０２１０８０９Ａｌ号明細書
【発明の概要】
【課題を解決するための手段】
【０００７】
本発明は、ギタリストによって演奏されたコードによるコンピュータ化された独創的なコード生成システムをギタリストに提供する。これによって、ギタリストは、通常、（右利きの場合）ギタリストの右手で旋律を演奏し、ギタリストの左手の指の位置を押す及び変更することによって伴奏をつけるコードを生成する。この演奏の出力は、そのまま増幅される。コードを生成する左手の動きは、電子的に取り込まれ、このようにして生成される信号は、音楽制作出力システムに送信される。
【０００８】
従って、本発明により、電気的な弦楽器の全体的な外観、感触、又は関連する重量、或いは精通した演奏方法に影響を与えることなく、原音及び演奏方法を維持する電気的な弦楽器、例えば、ギターが提供される。
【０００９】
本発明の別の目的は、ユーザインタフェースを介してコンピュータと通信する電気的な弦楽器、例えば、ギターを提供することである。このユーザインタフェースは、フットペダル、タッチスクリーン、キーボード、又はそれらの任意の組み合わせとすることができる。しかしながら、フットペダルは、一般的に、弦をつま弾く又ははじくために自由である必要がある演奏する手の使用を必要としないので好適である。
【００１０】
従って、サウンドホールを有する本体と、該本体から延びるネックと、該ネック及びサウンドホールの上に取り付けられる複数の弦と、ネックに沿って弦の下に取り付けられる複数のセンサと、該センサと関連する電子回路とを備え、センサは動的な個別のフレット作動センサを含み、それらの各々は複数の弦の１つの下に対応して配置され、コードが弦楽器の弦で演奏される際に、弦に加えられた指の圧力が対応する動的な個別のフレット作動センサをアクティブにし、演奏されたコードを示す圧力データを電子回路を介してプロセッサに送信して演奏されたコードを含むオーディオ出力を生成する電気的な弦楽器を提供することが、本発明の主な目的である。
【００１１】
動的な個別のフレット作動センサは、ネック上に、弦の下に配置される。これらのセンサは、静電容量センサであることが好ましいが、誘導センサもまた使用できる。これらの詳細な構造は、以下に説明される。
【００１２】
動的な個別のフレットは、溶着又は接着することによって動的な個別のフレット作動センサ上に取り付けられる。指が弦を押さえる又はつま弾くときに、動的な個別のフレットには圧力が加えられ、これによって動的な個別のフレット作動センサがアクティブになる。このセンサは電気的な信号を生成し、該信号がプロセッサに送信されると、処理されて演奏者の指の動きの圧力データ及び関連するパラメータが識別され測定される。このようにして、自動化されたシステムがアクティブになり、ギターのアコースティックサウンドと調和する音楽伴奏として事前にプログラムされたコードが提供される。
【００１３】
さらに、本発明と同様の概念は、他の楽器に適用することができ、必ずしも弦楽器のみに適用されるものではない。さらに、例えば、弦がないギターは、本発明の構成要素と共に構成され本発明の方法により演奏される場合、「ワンマンバンド」として機能することができる。
【００１４】
自動伴奏が作動して、演奏の様々な形態、例えば、コードのスライド又はハッハッ（ｗｈａ−ｗｈａ）において普及している特別な効果を残しておく場合に、依然として、ギターの原音が残ることに留意することが重要である。それに加えて、自動伴奏並びに原音を増大又は減少させてそれらを調節して、それらの間の適切なバランスを達成することができる。音楽出力システムは、ケーブル又は無線システムによって電気的な弦楽器に取り付けられたコンピュータで動作する。従って、電気的な弦楽器を通常の方法で使用することを望む人は、それをコンピュータに取り付けるのではなく、オーディオ出力に取り付けるだけでよい。
【００１５】
本発明の別の目的は、弦楽器を演奏する人が一人で、音楽伴奏とともに完全なバンドのように演奏できるように構成されたシステムを提供することである。アナログデジタル変換機能を含む前述のようなフレット作動センサシステムを備える弦楽器と、音楽伴奏をシステムに選択的に取り入れるためのユーザインタフェースと、フレット作動センサシステム及びユーザインタフェースの両方から受信されＭＩＤＩプロトコルチャネルによって送信されたデジタル信号を処理するためのＭＩＤＩインタフェースと、ＭＩＤＩプロトコルによって接続されてオーディオ出力を生成するシンセサイザーモジュールとを備え、プロセス全体がコンピュータによって制御されるシステムが提供される。
【００１６】
ユーザインタフェースは、ソロ演奏（ワンマンバンド）における使用のためのキーボード又はフットペダルとすることができ、自動伴奏のための入力（例えば、サウンドの変化、分割、置き換え、プログラミング、調和、発音、テンポ、イントロ、エンディング、他）を提供することができる。
【００１７】
本発明の電気的な弦楽器、例えば、ギターは、様々なレベルの機能で、オルガンのように使用できるように、様々な構造で製造される。従って、初心者、音楽的な体験を豊かにすることを望むアマチュア、並びにソロ又はグループで出演する高度な演奏者及び職業的な音楽家が使用するように適切に構成されたギターが提供される。或いは、任意の単純なギターを後付けして、それを本発明の方針によるワンマンバンド及びギターに改造することができる。従って、本発明は、全てのギター市場、例えば、エレキギター、クラシックギター、アコースティックギターにおける利用、並びに一般的な弦楽器の同様の種類に適している。
【００１８】
幾つかのキー及びディスプレイ画面（図示せず）を備え、キーが押された時間及び速度に関して必要な圧力を使用者が調節することができるようなＭＩＤＩインタフェースが提供される。例えば、キーが短時間押された場合、ディスプレイ画面は、そのキーから１つの種類の応答を通知し、同じキーを長時間押すと、別の種類の応答が意図されていることをＭＩＤＩインタフェース２４に通知する。さらに、キーを押す間の様々な間隔（タイミング又は連打）は、音楽的な応答に影響を与える。これらの応答は、事前にプログラムされて具体的な演奏セッションに関して演奏者が望む音楽的な成果の趣向及び選択を反映し、プログラミングにおける柔軟性を高めたものとなっている。
【００１９】
ほとんどの弦楽器、例えばギターは、一般的に、フレットセクションに分割されギターの全ての弦にわたって延びる固定されたフレットで隔てられたフィンガーボードを備え、本発明においては、動的なフレットが個別の移動可能な区画となっており、互いとは無関係に動作する。本発明の好ましい実施形態において、圧力の変化を識別するためのフレット作動センサが、各動的なフレットの下に配置される。フレットセンサは、約０．６ｍｍ又はそれより薄い厚さの非常に薄い構成要素であることを特徴とする。
【００２０】
典型的なギターのネックの上には、およそ１８個のフレットセクションが存在し、フレットの高さ、すなわち、各弦の間の、ネックの端部からブリッジに向けてのテーパーは、ギターの種類及びその製造元によって決まる。例えば、ギターが６本の弦及び１８個のフレットセクションを有する場合には、およそ１０８（１８×６）個のフレットセンサの位置がある。明らかに、それらの全てを同時に押さえることはできない。本発明は、この問題を的確に解決する。
【００２１】
各フレットの間隔に１つのフレットセンサが必要とされない。必要とされるフレットセンサの総計を半分に削減した９個のフレットセクションに、本発明によって提供されるようなフレットセンサを配置することで十分である。
【００２２】
人差し指でフレットの間隔の全ての弦を押さえ、３本の指（中指、薬指、及び小指）で別のフレットの間隔の弦を押さえるコード（完全なコード）がある。この状況では、各弦は、１箇所より多い箇所に対して演奏者の指で押さえられる（同じフレットの間隔に対してではない）。
【００２３】
指の圧力及び他の関連するデータを識別するのに利用可能な幾つかの公知の技術がある。これらの中には、誘導及び静電容量方式がある。フレット作動センサの具体的な構成及び配置及び使用方法は、本発明の本質をなす。両方の方式は、動的なフレットの下に取り付けられるフレット作動センサと共に動作し、アクティブになると、それらの電気的な特性に変化をもたらすことができる。
【００２４】
フレットセクションの近くに配置される瞬間的な動的なフレット３２の僅かな機械的な動作による音響特性の顕著な差異はほとんどないので、フレット作動センサの導入より、それらが演奏者の手の自由さを妨げることはなく、弦楽器、例えば、ギターの原音とほとんど又は全く干渉しないようになっている。
【００２５】
本発明の好ましい実施形態において、プロセッサ（図示せず）は、互いにＭＩＤＩ通信チャネルを介して接続されるが、被覆線又は撚り線と共にＴＴＬレベルのＵＡＲＴを使用してＭＩＤＩインタフェース２４に接続することができる。
【００２６】
演奏者の指の圧力を識別するための２つの実現手段、すなわち、動的なフレットへの演奏者の指の直接的な接触、又は動的なフレットに対する弦の押さえがある。これらを検出することにより、演奏者によって加えられた圧力を識別し、どのデータをＭＩＤＩ通信チャネルを介して送信するかを判断することが可能となる。２つの実現手段があるので、フレットセンサは、圧力データだけでなく、指の位置、及び適切な信号をシステムに伝えて所望の応答を得るために必要とされる場合がある他の関連するパラメータを識別する必要がある。
【００２７】
ＭＩＤＩプロトコルは、各弦に対して２バイトの同時性のヘッダ部を含み、１番目のバイトは、押された動的な個別のフレットを識別し、２番目のバイトは、圧力に関する追加的な情報を与える。最後には、バイトのチェックサムがある。このＭＩＤＩプロトコルには、毎秒１１５２００バイトの速度の通信が必要とされる。
【００２８】
本発明の他の機能及び利点は、図面及び以下の説明から明らかになる。
【００２９】
本発明の実施形態に関して本発明をよく理解するために添付図面を参照する。
【図面の簡単な説明】
【００３０】
【図１】本発明の電気的な弦楽器のための電子システムの好ましい実施形態のブロック図である。
【図２Ａ】本発明の好ましい実施形態により適応されたギターのネックの全体的な平面図を示す図である。
【図２Ｂ】本発明の好ましい実施形態により適応されたギターのネックの拡大した概略的な図を示す図である。
【図２Ｃ】図２ＢのＰ−Ｐからとった断面図であり、本発明の実施形態によるプリント回路板（ＰＣＢ）上に取り付けられたフレットセンサの配置を示す図である。
【図２Ｄ】図２Ｃの細部Ｂを拡大した図であり、非アクティブな位置づけとなっているフレットセンサを示す図である。
【図２Ｅ】図２Ｃの細部Ｂを拡大した別の図であり、アクティブな位置づけとなっているフレットセンサを示す図である。
【図３Ａ】本発明の典型的なフレットセンサの別の実施形態の斜視図を示す図である。
【図３Ｂ】本発明の典型的なフレットセンサの別の実施形態の平面図を示す図である。
【図３Ｃ】図３ＢのＱ−Ｑからとった断面図であり、非アクティブな位置づけとなっている実施形態を示す図である。
【図３Ｄ】図３ＢのＱ−Ｑからとった断面図であり、アクティブな位置づけとなっているフレットセンサを示す図である。
【図４】本発明の別の実施形態によるインダクタンスコイルで構成されるフレットセンサの斜視図である。
【発明を実施するための形態】
【００３１】
図１を参照すると、本発明の電気的な弦楽器の電子システムの好ましい実施形態のブロック図が示される。システム２０は、全体として、４つの構成要素、すなわち、アナログデジタル変換機能を含む動的な個別のフレット作動センサシステム２２と、音楽伴奏に関する入力をシステム２０に選択的に導入するためのユーザインタフェース２６と、ケーブルを介して又は無線伝送によってチャネル２３、２５を経由して、当業者にとって公知のＭＩＤＩプロトコルによって送信され、動的な個別のフレット作動センサシステム２２及びユーザインタフェース２６の両方から受信されるデジタル信号を処理するためのＭＩＤＩインタフェース２４と、ＭＩＤＩプロトコルによって接続されてオーディオ出力３０を生成するシンセサイザーモジュール２８とを備える。
【００３２】
フレット作動センサシステム２２内の、又は代替的にＭＩＤＩインタフェース２４自体内のいずれかの少なくとも１つのプロセッサは（図示せず）、アナログ圧力データを前述のようにシステム２０の各構成要素の間で共有されるＭＩＤＩ通信チャネルによって送信することが容易なデジタルデータに変換する。
【００３３】
フレット作動センサシステム２２は、弦楽器、例えば、ギター（図２Ａ、２Ｂ）の複数の弦３８上の演奏者の指の圧力、並びにこのような圧力の位置及び継続時間を識別するために使用される。
【００３４】
ユーザインタフェース２６の使用は、本発明の好ましい実施形態である。本発明によるユーザインタフェース２６は、演奏者が電子システムと対話できるようにするキーボードコンソール又はタッチスクリーン上のプログラム可能な有効化キーの配列（図示せず）を含む。或いは、フットペダルは（図示せず）、電子システムに関するスイッチを足で作動させるために使用され、ギター演奏者の手及び指が自由に使えるようにする。キー又はフットペダルの圧力は、ＭＩＤＩチャネル２５を介してＭＩＤＩインタフェース２４（図１）に送信される。或いは、ユーザインタフェース２６は、一般的なオルガン、ＰＣに接続されるタッチスクリーン、又はキーボードさえも含むことができるが、フットペダルを含むこと又は含まないこともある。音楽伴奏は、様々な種類の楽器のものとすることができ、弦楽器からのものだけではない。これらは、ギターのアコースティックサウンドと調和させるために事前に録音されるか、又はデジタル形式でＰＣからダウンロードすることができ、これはシステム２０の動的な個別のフレット作動センサシステムに適応している。
【００３５】
ＭＩＤＩインタフェース２４は、フレット作動センサシステム２０からＭＩＤＩプロトコル伝送チャネル２３を介して、及びユーザインタフェース２６からＭＩＤＩプロトコル伝送チャネル２５を介してそれぞれ受信されるデジタル信号を処理し、このデータは、別のＭＩＤＩプロトコルチャネル２７を介してシンセサイザーモジュール２８に供給されて更に処理され、オーディオ出力３０に送信される。オーディオ出力３０は、弦楽器（図２Ａを参照）の演奏から、又は演奏者が弦楽器ソロの演奏時にユーザインタフェース２６の操作によって選択的に導入した音楽伴奏から生成されるサウンドを含む、音楽音響の任意の組み合わせとすることができる。シンセサイザーモジュール２８は、様々な楽器の合成されたコードを追加して、バンド全体の演奏のオーディオ出力３０に効果を与え、実質的にワンマンバンドにする。ＭＩＤＩインタフェース２４は、コードが押さえられたか否か又は加圧時間の長さが有効か否かを識別することを含む、事前に定義された演奏者の指の圧力の生の情報を受信する。圧力情報は、これらの基準の両方を満たしている場合にはＭＩＤＩチャネル２３を介してＭＩＤＩインタフェース２４に送信されることになる。
【００３６】
ＭＩＤＩインタフェース２４は、ギターに供給される外部電力と（図示せず）、少なくとも１つのプロセッサとを備え、該プロセッサは、ギターから情報を受信してＭＩＤＩでコードを識別し、同時に、ユーザインタフェース２６、例えば、フットペダル、キー、又はタッチスクリーンからＭＩＤＩ情報を受信し、ギターのアコースティックサウンドをユーザインタフェース２６からの音楽伴奏と組み合わせるが、これらの情報は、ＭＩＤＩインタフェース２４で処理され、シンセサイザーモジュール２８に送信されてオーディオ出力３０を生成する。
【００３７】
シンセサイザーモジュール２８は、当業者には公知のような、電子シンセサイザー、ＭＩＤＩ入力対応オルガン、コンピュータプログラム、コンピュータ処理ユニット（ＣＰＵ）の一部としてのＭＩＤＩモジュール、又はＭＩＤＩプロトコルに対応する他のミュージックシーケンサーとすることができる。
【００３８】
シンセサイザーモジュール２８は、演奏される弦楽器のアコースティックサウンド、及び音楽家−演奏者がユーザインタフェース２６を操作することによる、システム２０への選択された音楽伴奏入力を含むデジタル信号を、ＭＩＤＩプロトコルチャネル２７を介してＭＩＤＩインタフェース２４から受信する。シンセサイザーモジュール２８は、弦楽器からのサウンドを音楽伴奏と統合して処理し、（矢印の）オーディオ出力３０を生成するようにプログラム可能である。
【００３９】
シンセサイザーモジュール２８は、キーボード上の作動されたキーから、フットペダルから、又はギターのネック３４（図２Ａを参照）のフレット作動センサ（図２Ｃの要素４２、又は図３Ｂの要素５６を参照）から演奏者の指示に応じたサウンドを生成する。
【００４０】
いくつかの利用可能な既製の製品を使用することができるが、ハードウェア及びソフトウェアを統合し、シンセサイザーモジュール２８として機能して、システムの全ての構成要素からの情報を取りまとめるＰＣを得ることが望ましい。本発明に関して、基本的なコンピュータのみが必要とされ、高機能なコンピュータは必要とされず、当業者に公知のＭＩＤＩ及び高音質のオーディオアダプタのみが必要であり、インターネット上の情報源を参照にすると、本発明と共に使用するのに適した既製の構成要素が容易に分かるはずである。
【００４１】
ディスプレイ画面がユーザ入力及びシンセサイザーモジュール２８のプログラミングに使用される場合には「タッチ」スクリーンが好ましく、経済性及びユーザ操作性のために調節可能なスタンド上の小型スクリーンが好ましい。ＰＣ又はこの機能のために特別に設計された構成要素は、当業者には公知のように、スタンドの底部に配置することができる。さらに、演奏機器の基部の周りにペダル用の固定装置を備えることが推奨される。このユニットは、折り畳み式とすることができ、折り畳むと台車に変化してプラットホーム又はステージ上で好都合に運搬すること又は移動させることができる。
【００４２】
オルガンは（図示せず）、標準的な楽器であり、その幾つかにはＭＩＤＩ入力がある。ＭＩＤＩプロトコルは標準的であり、これはギター及びペダルがオルガンのインタフェースの一部となるようにオルガンに接続することができる。これらは使用が容易で既知の結果をもたらすという利点がある。これらのサイズ及びプログラミングの柔軟性がないことが欠点である。
【００４３】
シンセサイザーモジュール２８は、ＭＩＤＩシステムから音楽を生成するのに必要な全てを含み、使用が容易で既知の結果をもたらす。
【００４４】
適切なプログラムを有するコンピュータは、サウンドの制作に必要な最大限の柔軟性を与え、特に、本発明のシステムを作るのに必要な一連のタスクを上手く生成することができる。このシステムの主要な利点は、プログラミングにおいて最大限の柔軟性が可能になる点である。
【００４５】
サウンドを制作する能力は、当業者には公知のように、単に選択されたシンセサイザーモジュール２８に依存する。実際には、音楽の実現は、選択されたシンセサイザーのある種の演奏内容、並びにシンセサイザーによって提供されるサウンド及びその演奏内容に関するレベル及び選択によって制限される。
【００４６】
図２Ａ及び２Ｂでは、それぞれ、本発明の好ましい実施形態に適合するギターのネック３４の一部に関する全体的な平面図、及び概略的な拡大図が示されている。
【００４７】
例示的に、ギターのネックの長さ方向に沿って張った６本の弦３８を有する典型的なギターのネック３４の一部が示されている。幾つかの弦楽器の弦は、これより少ないか又は多いものとすることができる。複数の弦３８の各々の下には、対応する複数の動的な個別のフレット３２ａ−ｌ（図２Ｂを参照）が示されている。図２Ｃ、２Ｄ、及び２Ｅから良く分かるように、動的な個別のフレット３２及び動的な個別のセンサ４２の構造及び動作が例示的に示されている。
【００４８】
ここで図２Ａを詳細に参照すると、例示的に、本発明の好ましい実施形態における本発明の原理による改良されたギターのネック３４の一部の全体的な平面図が示されている。
【００４９】
ネック３４は、典型的なギターに見られるようなネック３４の幅にわたって列を成して配列された動的な個別のフレット作動センサ３２によって、フレットセクション３３に分割される。通常６本又はそれより多い弦３８は、下側のボディ部（図示せず）からヘッド３６にピンと張られ、該ヘッド３６において、これらの弦３８は、弦３８の張力を調節する又は必要に応じて弦３８を取り換えるために使用されるチューニングペグ３７のセットに取り外し可能に留められる。
【００５０】
図２Ｂは、図２Ａの細部Ａの概略的な拡大図であり、本発明の好ましい実施形態によるギターの弦の下に配置される動的な個別のフレット３２ａから３２ｌの２つの列の平面図を示す。
【００５１】
演奏者の指の圧力及び他の関連データを検出し識別するためのフレットセンサシステム２２（図１を参照）は、ネック３４に取り付けられる。動的な個別のフレット作動センサ４２（図２Ｃを参照）によって収集されるデータは、アナログ又はデジタル形式でＭＩＤＩインタフェース２６（図１を参照）に送信されて処理される。弦３８の押さえ又はつま弾きは、対応する弦３８の下にある個別のフレット作動センサ４２によって即座に特定可能である。ギターの弦３８は、非導電性となっており、フレットセンサシステム２２（図１を参照）の電子機器との競合を防止する。特定の動的な個別のフレット３２を押すと、対応する個別のフレット作動センサ４２がアクティブになる。演奏者は、選択されたコード及び音楽伴奏を呼び出して、ギターのアコースティックサウンドと調和させるために使用されるユーザインタフェース２６によって出力を強化する。
【００５２】
フレット作動センサシステム２２（図１）は最小の形状であり演奏を妨害しないように設計される。１つのみではなくそれより以上のフレットセクション３３に分散するコードがあるので、フレットセクション３３の動的な個別のフレット３２の間の接続は高速直線チャネルである。押さえられたコードの再現は、関連するフレットセクション３３の各々の動的な個別のフレット作動センサ４２から情報を収集するように動作し、複数の弦３８上の演奏者の指の動き及び圧力を識別して特定のコードを生成する別個のプロセッサ（図示せず）によって最良に実現できることを理解されたい。
【００５３】
細部Ａは、その間にフレットセクション３３が形成される個別のフレット３２ａから３２ｆ及びフレット３２ｇから３２ｌの２つの隣接する列を示し、ここでは演奏者は弦３８をはじくこと又はつま弾くことができる。個々の、動的な個別のフレット３２ａから３２ｌの下には、動的な個別のフレット作動センサ４２（図２Ｃを参照）がある。或いは、動的な個別のフレットセンサ５６（図３Ｂを参照）は、演奏者の指の動き及び指の圧力の強弱の変化を検出し識別して、事前にプログラムされた又は選択されたコードを呼び出して、ギター自体からのアコースティックサウンドに伴奏をつけることができる。
【００５４】
断面Ｐ−Ｐ（図２Ｃを参照）に関して以下に更なる詳細を示して説明する。
【００５５】
図２Ｃ、２Ｄ、及び２Ｅは、縮尺通りではないがネック部３４を示し、該ネック部３４はＰＣＢ（プリント回路板）４４を備え、該ＰＣＢ（プリント回路板）４４上に複数の動的な個別のフレット作動センサ４２が取り付けられ、該動的な個別のフレット作動センサ４２の各々は、非常に薄い上側導電層４８ａから絶縁体の層５２で隔てられた非常に薄い下側導電層５０を備え、作動する個別のフレット３２は上側導電層４８ａに取り付けられ、静電容量式のフレット作動センサ４２を構成する。
【００５６】
ここで図２Ｃを参照すると、図２ＢのＰ−Ｐの断面図が示され、本発明の好ましい実施形態によるギターのネック３４上に取り付けられた個別のフレット作動フレットセンサ４２の配置が示される。ＰＣＢ４４は、標準的なフレットボード（図示せず）の代わりにネック３４に取り付けられ、動的な個別のフレット３２の下に配置され取り付けられる複数の個別の屈曲式フレット作動センサ４２と共に構成される。上側導電層４８ａの僅かな部分４８ａのみが実際に屈曲する。上側導電層４８ｂの大部分は、上側導電層４８ａ／ｂと下側導電層５０とを隔てる絶縁体４６に固定して取り付けられる。
【００５７】
細部Ｂに関する更なる詳細を、図２Ｄに拡大した図で示す。
【００５８】
図２Ｄは、図２Ｃの細部Ｂを拡大した図であり、本発明の一実施形態の典型的な個別のフレットセンサ４２における上側及び下側導電層５０及び４８ａそれぞれの配置の断面図を示す。独立した動的なフレット３２が示されており、フレットセンサ４２の上側導電層４８ａに取り付けられている。上側導電層４８ａ及び下側の固定された層５０の対向面には、絶縁体の非常に薄いコーティング５２が被覆されていることに留意されたい。隙間Ｇは、Ｌ字形状の空隙として示されているが、上側の屈曲可能な導電層４８ａと下側の固定された層５０との間で僅かな離隔を保つように、適切な圧縮性の誘電材料を使用して空隙を埋めることができる。上側導電層４８ａと上側導電層４８ｂとの間の非常に狭い離隔５４を保つように、上側導電層４８ａが上側導電層４８ｂと完全に適合して、全てがＰＣＢ４４上に取り付けられる、上側導電層４８ｂの一部、絶縁層５０、及び下側導電層５０を含む固定された材料の層の残りの部分との偶発的な接触を防止する。ギターの弦３８は、動的な個別のフレット３２（図２Ｄを参照）の上に張られており、弦３８上の指の圧力が結果的に動的な個別のフレット３２を押し下げ、これに対応して個別の屈曲式フレットセンサ４２（詳細は図２Ｅを参照）を作動させるようになっている。
【００５９】
図２Ｅは、図２Ｃの細部Ｂを拡大した別の図であり、下向きの指の圧力が屈曲式フレットセンサ４２に加えられた場合の、屈曲式フレットセンサ４２の上側の屈曲導電層４８ａの屈曲運動を示す。上側導電層４８ａに取り付けられた動的な個別のフレット３２を示す。演奏者の指の圧力（矢印４５）が動的な個別のフレット３２上で弦３８を押さえるときに、動き（矢印４７）により、上側導電層４８ａが、小さい円弧（矢印）４７で下側導電層５０に向かって１０分の数ミリメートル屈曲するので、隙間Ｇが減少して、上側導電層４８と下側導電層５０との間の静電容量値が増加する。
【００６０】
この静電容量の増加は、幾つかの方法、例えば、周波数の変化の測定、電圧の変化の測定、又は帯電時間の測定でもって測定することができる。動的な個別のフレット作動センサ４２の各々は、対応する動的なフレット３２に加えられた圧力に応じて静電容量値を変化させる。フレットセクション、フレットセンサ４２ごとの静電容量値は、更に処理するためにマイクロプロセッサ（図示せず）に送信される。
【００６１】
前述のマイクロプロセッサの処理機能の１つは、ギターの演奏者が所定の圧力で少なくとも２つのフレットセクション（すなわち、少なくとも２つの音符のコード）を同時に押しているかどうかを認識する機能を含み、この機能は、ギターを演奏することによって生成されるアコースティックサウンドに伴奏をつけるための少なくとも１つの旋律的なコードを呼び出すための信号を形成するのに必要とされる。
【００６２】
図３Ａ及び３Ｂは、それぞれ、本発明の典型的なフレットセンサの別の実施形態の斜視図及び平面図を示し、図３Ｃ及び図３Ｄは、図３ＢのＱ−Ｑを拡大した断面図を示す。センサ５６は、「浮動する」上側導電層５８上に取り付けられた動的な個別のフレット３２を備える。浮動した様子は、上側導電層５８の自由な状態の結果であり、上側導電層５８は、図２Ｃに示すように屈曲するのではなく、下側導電層５０（図３Ｃ、３Ｄ）に向かって下向きにほぼ均等に押し下げられる。
【００６３】
一連の４個のＬ字形状の溝部６０は、動的なフレット３２の周りに幾何学的なパターンでエンボス加工され、上側導電層５８に押し下げられた動的なフレット３２からの圧力が加えられる場合に、小さな浮動安定性を促進するようになっている。Ｌ字形状の溝部６０は不要な水平方向の変形を防止するように作用し、上側導電層５８から圧力がなくなると溝部６０を有する表面が持ち上がり、溝部６０は通常位置に戻ることができる。
【００６４】
図３Ｃを詳細に参照すると、動的な上側導電層５８を備えた浮動式フレットセンサ５６、及び誘電体５２で隔てられた下側導電層５０が示される。浮動式フレットセンサ５６は、上側導電層５８及び下側導電層５０の高さ距離が最大であり、非アクティブな状態で示されている。
【００６５】
図３Ｄは、図２Ｅに説明し示した特徴と類似しており、図２Ｅでは屈曲式フレットセンサ４２を有し、図３Ｄでは浮動式フレットセンサ５６を有する点で異なる。１つ又はそれ以上のギターの弦３８を押さえることによって動的なフレット３２に圧力４５（矢印）を加える場合、上側導電層５８は、矢印５３の動きで示すように下向きに押し込まれる。２つの層５８、５０との間の距離の変化は、静電容量を引き起こす。この情報は、プロセッサ（図示せず）に送信され、電子システムで処理された後、演奏者が多くの種類の音楽伴奏を選択できるユーザインタフェース２６からの入力に応じて、オーディオ出力で調和して聞こえる音楽コードが生成される。
【００６６】
非導電性の絶縁体又は誘電体４６は、フレットセンサ５６の２つのアクティブ層を隔てる。各導電層５０、５８の対向面には絶縁体のコーティング５２が被覆されている。
【００６７】
静電容量の変化が測定され、プロセッサ（図示せず）によってデジタル形式に変換されたデータは、本発明のシステム（図１）における電子制御及び構成のための入力として使用されて、自動化され選択された音楽伴奏を生成してギターで演奏したソロのアコースティック出力と調和させる。
【００６８】
本発明の好ましい実施形態における屈曲式フレットセンサ４２に関して、前述のような静電容量素子を説明したが、随意的に（図４に関して説明するような）インダクタンス素子を使用して前述の発明を実施することができる。
【００６９】
図４は、本発明の別の実施形態によるインダクタンスコイルで構成されるフレットセンサの斜視図である。フレットセンサ７０は、２つの電気コイル７２ａ及び７２ｂからのインダクタンス効果を利用して動作する。例示的に、右巻きインダクタンスコイル７２ａが上側の電極６６に組み込まれ、左巻きインダクタンスコイル７２ｂがフレットセンサ７０の下側の固定された電極６８に組み込まれる。コイル７２ａ／ｂの間で電界が発生する際に、誘電体の隙間Ｇが変化する。これらのコイルがＰＣＢ又は同様の非導電性の基板４４（図３Ｃ）上に取り付けられる場合には、コイルの中心から延びる１本の線が入力として動作し、各コイル７２ａ／ｂの他の端部が接地され共通の接地接続を形成して、電気回路を完成させて誘導式のフレットセンサ７０に電力を供給する。
【００７０】
本発明の別の実施形態において、電気弦楽器のネック３４は、複数の弦３８の下にプログラム可能タッチパネル（図示せず）を備え、該プログラム可能タッチパネルは、フレットセンサとして機能し、演奏者のタッチ及び演奏されたコードを識別し、それらを自動伴奏に変換する。このパネルは、タッチの力に対してタッチ感知式であり、音楽家−ギタリストが何時コードを押さえ、このコードを自動伴奏によって演奏したいかを（圧力の継続時間により）識別する。また、コードは、少なくとも２つの楽音の継続時間を有する必要がある。複数の弦３８上の指の他の全ての動きは自動伴奏をアクティブにせず、指の全てのベンディング及びスライディングでもって音を奏で、通常のエレキギターによる音楽の感覚を得ることができる。
【００７１】
本発明は、特定の具体的な実施形態に関して説明したが、これらの説明は、別の変更例を当業者に示唆することができるので限定的なものではなく、このような変更例は請求項の範疇に含まれることが意図されていることを理解されたい。
【図１】
2015207011.tif 000003
【図２Ａ】
2015207011.tif 000004
【図２Ｂ】
2015207011.tif 000005
【図２Ｃ】
2015207011.tif 000006
【図２Ｄ】
2015207011.tif 000007
【図２Ｅ】
2015207011.tif 000008
【図３Ａ】
2015207011.tif 000009
【図３Ｂ】
2015207011.tif 000010
【図３Ｃ】
2015207011.tif 000011
【図３Ｄ】
2015207011.tif 000012
【図４】
2015207011.tif 000013
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
サウンドホールを有する本体と、
前記本体から延びるネックと、
前記ネック及び前記サウンドホールの上に張られた複数の弦と、
前記ネックに沿って前記弦の下に配置された複数のフレットと、
センサと関連する電子回路と、
前記ネックに取り付けられたプリント回路板（ＰＣＢ）と
前記ネック上の前記ＰＣＢに配置された複数のフレット作動センサと、
を備える弦楽器であって、
前記フレットは、独立した個別のフレットセクションを含み、当該フレットセクションのそれぞれは、静電容量センサ又は誘導センサ上に取り付けられ、これにより、独立した動的な個別のフレット作動センサが形成され、
前記静電容量センサは、上側導電層から離間し絶縁される固定された下側導電層を含み、
前記誘導センサは、上側誘導性コイルから離間された下側誘導性コイルを含み、
前記センサは、動的な個別のフレットセクションの下に固定され、
前記弦に指の圧力を加えることによってコードが演奏される際に、対応する前記動的な個別のフレット作動センサがアクティブになり、前記演奏されたコードを示す圧力のデータが前記電子回路を介してプロセッサに送信されて、前記演奏されたコードを含むオーディオ出力が生成される、
ことを特徴とする弦楽器。
【請求項２】
前記個別のフレットは、溶着又は接着することによって前記センサ上に取り付けられる、請求項１に記載の弦楽器。
【請求項３】
前記静電容量センサは、屈曲可能又は浮動するな上側導電層から離間し絶縁される下側の固定された導電層を備え、前記導電層の間に誘電体が存在し、前記センサは動的な個別のフレットセクションの下に固定され、前記動的なフレット上の圧力により、前記センサの前記上側導電層が前記下側導電層の方向に変位し、測定され得る静電容量の値が増加する、請求項１に記載の弦楽器。
【請求項４】
エレキギター、クラシックギター、及び、アコースティックギターから選択される請求項１から３のいずれかに記載の弦楽器。
【請求項５】
前記演奏された音を増幅することができるピックアップを更に備える、請求項１から４のいずれかに記載の弦楽器。
【請求項６】
ソロ演奏者による音楽伴奏を用いて弦楽器から音楽を制作するためのシステムであって、該システムは、
サウンドホールを有する本体と、
前記本体から延びるネックと、
前記ネック及び前記サウンドホールの上に張られた複数の弦と、
前記ネックに沿って前記弦の下に配置された複数のフレットと、
センサと関連する電子回路と、
前記ネックに取り付けられたプリント回路板（ＰＣＢ）と
前記ネック上の前記ＰＣＢに配置された複数のフレットセンサと、
を備え、
前記フレットは、各々が対応する静電容量センサ又は誘導センサの上に取り付けられた独立した個別のフレットセクションを含み、これにより、独立した個別のフレット作動センサが形成され、
前記静電容量センサは、上側導電層から離間し絶縁される固定された下側導電層を含み、
前記誘導センサは、上側誘導性コイルから離間された下側誘導性コイルを含み、
前記センサは、動的な個別のフレットセクションの下に固定され、
該システムは、さらに、
音楽伴奏を選択的に紹介するためのユーザインタフェースと、
前記フレット作動センサ及びユーザインタフェースの両方からＭＩＤＩプロトコルチャンネルによって送信されるデジタル信号を受信し処理するＭＩＤＩインタフェースと、
ＭＩＤＩプロトコルによって接続されたシンセサイザーモジュールであって、統合されたオーディオ出力を生成するシンセサイザーモジュールと、
を備え、
前記弦に指の圧力を加えることによってコードが演奏される際に、対応する前記動的な個別のフレット作動センサがアクティブになり、前記演奏されたコードを示す圧力のデータが前記電子回路を介してプロセッサに送信されて、オーディオ出力が生成される、
システム。
【請求項７】
請求項６に記載のシステムを用いて、弦楽器で演奏されたソロを用いてアコースティックサウンド及び選択された音楽伴奏を制作する方法であって、
１）指の圧力を前記弦に作用させることによって前記楽器を演奏し、前記動的な個別のフレット作動センサをアクティブにする段階と、
２）前記弦に加えられた圧力のデータ及び関連する指の動きのパラメータを検出して識別して測定する段階と、
３）前記パラメータをアナログ信号からデジタル信号に変換する段階と、
４）前記ユーザインタフェースを用いて選択された音楽伴奏の入力を制御して、前記演奏された弦楽器のコードを含む前記アコースティックサウンドを完成させる段階と、
５）前記弦楽器の演奏により制作され、前記ユーザインタフェースから生成され選択された音楽伴奏と調和させた音響的な効果を含むオーディオ出力を、前記ＭＩＤＩインタフェースからの出力と通信して前記シンセサイザーモジュールを用いて生成する段階と、
を含むことを特徴とする方法。
【請求項８】
前記弦における指の圧力は、周波数及び電圧及び／又は時間の変化が測定されると前記センサの静電容量を増加させる、請求項７に記載の方法。